(57)【要約】【課題】機械式駐車装置の利用者をタイミング良く正確に判別することができ、利用者の利便性を一層向上させた機械駐車場ビルセキュリティ連動装置を提供する。【解決手段】操作盤１に、セキュリティビルで使用されているＩＣ認証媒体を読み取るＩＣリーダー６と、暗証番号を入力可能なタッチパネル式の液晶画面２を設け、ビルセキュリティ盤７に、ＩＣ認証媒体の使用者がセキュリティビル側のビル利用者であることが判定されたときビル利用者操作許可信号を駐車場制御盤１１に送信するビル利用者操作許可送信部９を設け、駐車場制御盤１１に、ビル利用者操作許可信号を受信したとき液晶画面２を暗証番号入力画面とし、かつ、駐車場利用者が入力した暗証番号が予め登録された登録番号と一致したとき機械式駐車装置の運転を開始させる駐車場主制御部１３を設けた。【選択図】図１
2020070693.tif 000002
【特許請求の範囲】
【請求項１】
駐車場乗込み口付近に設けた操作盤と、前記操作盤と通信を行って駐車車両の入出庫を行う駐車場制御盤を備えた機械式駐車装置に隣接して、ビル利用者判定部を有するビルセキュリティ盤を備えたセキュリティビルが建てられている機械駐車場ビルセキュリティ連動装置において、
前記操作盤には、セキュリティビルにおける前記ビル利用者判定部のために使用されているＩＣ認証媒体を読み取るＩＣリーダーと、少なくとも暗証番号を入力可能なタッチパネル式の液晶画面を設け、
前記ビルセキュリティ盤には、駐車場利用者によってセキュリティビルで使用されている前記ＩＣ認証媒体が前記ＩＣリーダーにかざされたときにセキュリティビル側のビル利用者であることを判定する前記ビル利用者判定部と、前記ビル利用者判定部でビル利用者と判定されたときビル利用者操作許可信号を前記駐車場制御盤に送信するビル利用者操作許可送信部を設け、
前記駐車場制御盤には、前記ビル利用者操作許可送信部からのビル利用者操作許可信号を受信したとき前記操作盤の前記液晶画面を暗証番号入力画面とし、かつ、駐車場利用者が入力した暗証番号が予め登録された登録番号かどうか判定する暗証番号判定部と、前記暗証番号判定部によって登録番号との一致が判定されたとき前記機械式駐車装置の運転を開始させる駐車場主制御部を設けたことを特徴とする機械駐車場ビルセキュリティ連動装置。
【発明の詳細な説明】
【技術分野】
【０００１】
本発明は、機械駐車場とビルセキュリティとを連動させた機械駐車場ビルセキュリティ連動装置に関する。
【背景技術】
【０００２】
従来の機械駐車場ビルセキュリティ連動装置として、特開２０１５−４５１７６号公報（特許文献１）が知られている。この特許文献１には、かごの運転を制御するエレベータ制御盤と、前記かご内に設けられ、立体駐車場に駐車された車両の出庫指示を行う車両出庫指示装置と、を備えたエレベータであって、前記車両出庫指示装置は、出庫する車両の車両情報が記憶された記憶手段から車両情報を読み取ることにより車両情報が入力され、通常時に設定される車両情報を入力不能な入力不能モードと、車両情報を入力可能な入力可能モードと、を有する入力手段と、前記入力手段により入力された車両情報により特定される車両の出庫指示信号を、前記エレベータ制御盤を介して、前記立体駐車場に駐車された車両の出庫処理を制御する立体駐車場制御盤に送信する出庫指示信号送信手段と、前記入力手段を前記入力不能モードから前記入力可能モードに移行するモード移行手段と、を備えたエレベータが記載されている。
【先行技術文献】
【特許文献】
【０００３】
【特許文献１】特開２０１５−４５１７６号公報
【発明の概要】
【発明が解決しようとする課題】
【０００４】
しかしながら、特許文献１に記載された従来の機械駐車場ビルセキュリティ連動装置は、機械式駐車装置の利用者と判断できる限定された経路の中だけで有効なものであり、途中に利用者の予測できない行動などが含まれると、十分な効果を期待することができなかった。
【０００５】
本発明の目的は、機械式駐車装置の利用者をタイミング良く正確に判別することができ、利用者の利便性を一層向上させた機械駐車場ビルセキュリティ連動装置を提供することにある。
【課題を解決するための手段】
【０００６】
本発明は上記目的を達成するために、駐車場乗込み口付近に設けた操作盤と、前記操作盤と通信を行って駐車車両の入出庫を行う駐車場制御盤を備えた機械式駐車装置に隣接して、ビル利用者判定部を有するビルセキュリティ盤を備えたセキュリティビルが建てられている機械駐車場ビルセキュリティ連動装置において、前記操作盤には、セキュリティビルにおける前記ビル利用者判定部のために使用されているＩＣ認証媒体を読み取るＩＣリーダーと、少なくとも暗証番号を入力可能なタッチパネル式の液晶画面を設け、前記ビルセキュリティ盤には、駐車場利用者によってセキュリティビルで使用されている前記ＩＣ認証媒体が前記ＩＣリーダーにかざされたときにセキュリティビル側のビル利用者であることを判定する前記ビル利用者判定部と、前記ビル利用者判定部でビル利用者と判定されたときビル利用者操作許可信号を前記駐車場制御盤に送信するビル利用者操作許可送信部を設け、前記駐車場制御盤には、前記ビル利用者操作許可送信部からのビル利用者操作許可信号を受信したとき前記操作盤の前記液晶画面を暗証番号入力画面とし、かつ、駐車場利用者が入力した暗証番号が予め登録された登録番号かどうか判定する暗証番号判定部と、前記暗証番号判定部によって登録番号との一致が判定されたとき前記機械式駐車装置の運転を開始させる駐車場主制御部を設けたことを特徴とする。
【発明の効果】
【０００７】
本発明による機械駐車場ビルセキュリティ連動装置によれば、セキュリティビルに隣接して機械式駐車装置が構成されている場合、機械式駐車装置の利用は駐車場乗込み口付近に設けた操作盤にセキュリティビル側で使用しているＩＣ認証媒体をかざしたときに始まるため、機械式駐車装置の利用者をタイミング良く正確に判別することができ、利用者の利便性を一層向上させることができる。また、ビルセキュリティシステムで使用されるＩＣ認証媒体を機械式駐車装置の利用時にも使用するため、ビル利用者は、ビルセキュリティシステムで使用されるＩＣ認証媒体を持ち歩くだけで、ビルセキュリティシステムを通過すると共に、機械式駐車装置を利用することができるようになる。しかも、ビル利用者の中なら駐車場利用者を新たな構成部品を追加することなく簡単に、かつ、確実に判別することができる。
【図面の簡単な説明】
【０００８】
【図１】本発明の一実施例による機械駐車場ビルセキュリティ連動装置のブロック構成図である。
【図２】図１に示した機械駐車場ビルセキュリティ連動装置の処理動作を示すフローチャートである。
【発明を実施するための形態】
【０００９】
以下、本発明の実施の形態を図面に基づいて説明する。
【００１０】
図１は、本発明の一実施の形態による機械駐車場ビルセキュリティ連動装置の概略構成を示すブロック構成図である。
【００１１】
マンションなどのビルに隣接して構成された機械式駐車装置は、その乗込口付近に配置された操作盤１を有している。この操作盤１は、駐車場利用者に対して表示画面によって各種操作などを促したりタッチ操作可能なタッチパネル式の液晶画面２と、その操作を補足する音声案内を行うためのスピーカ３と、主に管理人によって出入口扉を開動作および閉動作させるときに操作される出入口扉開ボタン４および出入口扉閉ボタン５と、ビル利用者が予め所持しているＩＣタグやＩＣカードなどのＩＣ認証媒体がかざされたときにＩＣ情報を読み取るＩＣリーダー６などを有している。
【００１２】
ここで、通常の構成と異なるのはＩＣリーダー６であり、このＩＣリーダー６は、隣接するマンション住民等のビル利用者が所持し、かつ、マンション自体におけるビルセキュリティシステムで使用されているＩＣタグやＩＣカードなどのＩＣ認証媒体を読み取ることができるもの、またはビルセキュリティシステムで使用されているＩＣリーダー６と同一のものである。従って、ビル利用者が駐車場を利用する場合、ビルセキュリティシステムで使用されているＩＣ認証媒体と、駐車場側で使用される他のＩＣ認証媒体の二つを所持する必要はなくなる。
【００１３】
尚、図１のＩＣリーダー６は、操作盤１と別置されているように示しているが、操作盤１に組み込まれている。このＩＣリーダー６は、機械式駐車装置の制御系に接続されているのではなく、ビルセキュリティシステムにおけるビルセキュリティ盤７に接続されている。
【００１４】
ビルセキュリティ盤７は、通常構成の他に、操作盤１に接続されたＩＣリーダー６にマンションの住民や利用者などが所持し、かつ、ビルセキュリティシステムで使用されているＩＣ認証媒体がかざされたときＩＣ情報を読み取ってその所持者がビル利用者かどうかの判定を行うビル利用者判定部８と、ビル利用者判定部８による判定が行われたとき駐車場庫内１０の駐車場制御盤１１へ操作許可信号を送信するビル利用者操作許可送信部９を有している。
【００１５】
駐車場庫内１０の駐車場制御盤１１は、操作盤１に接続されて操作盤１の制御を行う操作盤制御部１２と、操作盤制御部１２からの開始信号を受けたとき駐車場の制御を開始する駐車場主制御部１３と、ビルセキュリティ盤７からの操作許可信号を受信したとき操作盤制御部１２でのその後の処理を継続させる継続操作許可部１４と、記憶部１５内に格納された暗証番号リスト１６と、操作盤制御部１２内に構成された暗証番号判定部１７を有している。
【００１６】
暗証番号リスト１５は、駐車場利用者が機械式駐車装置側に予め登録した暗証番号を管理するもので、操作盤制御部１２で設定されている一連の処理の中で暗証番号の入力が駐車装置利用者に求められたとき、暗証番号判定部１７でその入力番号が予め登録されている暗証番号と一致するかどうかを判定するために使用される。
【００１７】
次に、ビルセキュリティシステムにおけるＩＣ認証媒体を使用して機械式駐車装置を利用する場合について説明する。
【００１８】
図２は、上述した機械駐車場ビルセキュリティ連動装置の動作を示すフローチャートである。
【００１９】
通常、ビル利用者は、ビルセキュリティシステムにおけるＩＣ認証媒体を所持して外出する。そのビル利用者が機械式駐車装置の自家用車を使用する場合、機械式駐車装置の操作盤１の前に立ち、ステップＳ１で、現在確実に所持しているビルセキュリティシステムにおけるＩＣ認証媒体を操作盤１のＩＣリーダー６にかざす。このとき、駐車場制御盤１１における操作盤制御部１２によって制御されている操作盤１のタッチパネル式の液晶画面２に、「ＩＣ認証媒体受付画面」を表示し、利用者にＩＣ認証媒体をＩＣリーダー６にタッチするように促しており、液晶画面２は、この状態でタッチ待ち状態となっている。
【００２０】
すると、駐車場利用者は機械式駐車装置における操作盤１で操作を行っているが、ビルセキュリティ盤７におけるビル利用者判定部８はステップＳ２で、ＩＣリーダー６を通してＩＣ情報を読み込んでビル利用者判定処理を開始する。ビルセキュリティ盤７には、ビル利用者データベースが予め格納されており、ＩＣリーダー６を通して読み込んだＩＣ情報を用いてビル利用者データベースを参照してビル利用者であると判定する。
【００２１】
このとき、ビルセキュリティ盤７のビル利用者操作許可送信部９はステップＳ３で、駐車場制御盤１１側にビル利用者操作許可信号を送信する。このビル利用者操作許可信号を受けた継続操作許可部１４は、操作盤制御部１２に対して継続操作許可信号を与えて、予め設定されている一連の処理の次の段階に進む。
【００２２】
ここでは、暗証番号の入力処理となり、操作盤制御部１２はステップＳ４で、タッチパネル式の液晶画面２に「暗証番号入力画面」を表示し、駐車場利用者に暗証番号を入力するように促す。そこで、駐車場利用者は予め割り当てられている暗証番号をタッチパネル式の液晶画面２から入力する。
【００２３】
すでにステップＳ２で、現在の駐車場利用者がビル利用者であると確認されているため、ステップＳ４では駐車装置側専用の他のＩＣ認証媒体を所持および使用することなく、比較的に簡単な暗証番号を使用した判定によって確実に駐車装置利用者を判別することができる。
【００２４】
従って、駐車場利用者は、ビルセキュリティシステムにおけるＩＣ認証媒体と、駐車装置側専用の他のＩＣ認証媒体を所持して外出する必要がなく、通常所持しているビルセキュリティシステムにおけるＩＣ認証媒体のみを携帯すれば、駐車場の自家用車も簡単に使用することができる。
【００２５】
操作盤制御部１２はステップＳ５で、今、入力された暗証番号を用いて暗証番号判定部１７での判定処理を開始させる。暗証番号判定部１７は予め暗証番号が格納されている暗証番号リスト１６を検索して、今回入力された暗証番号の登録があるかどうか判定する。
【００２６】
その結果、暗証番号判定部１７が今回入力された暗証番号の登録が暗証番号リスト１６にあると判定した場合、操作盤制御部１２はステップＳ６で、駐車場主制御部１３に開始信号を与え、駐車場主制御部１３による出庫処理または入庫処理が開始される。
【００２７】
このようにマンションなどのセキュリティビルに隣接して機械式駐車装置が構成されている場合、ビルセキュリティシステムにおけるＩＣ認証媒体のみを使用するだけで、機械式駐車装置を利用することができる。このようにマンション住民などのビル利用者は、ビルセキュリティシステムにおけるＩＣタグなどのＩＣ認証媒体を持ち歩くだけで、ビルセキュリティシステムを通過すると共に、機械式駐車装置を利用することができるようになるため、ビルに併設された機械式駐車装置の使用に関する利便性が一層向上する。
【００２８】
しかも、セキュリティビルにおけるＩＣ認証媒体の使い方と同じ使い方で、機械式駐車装置を利用することができるので、使用方法で混乱することがない。つまり、いずれの場合も、利用者は、ＩＣ認証媒体をＩＣリーダーにかざすだけですむ。
【００２９】
以上説明したように本発明は、駐車場乗込み口付近に設けた操作盤１と、操作盤１と通信を行って駐車車両の入出庫を行う駐車場制御盤１１を備えた機械式駐車装置に隣接して、ビル利用者判定部８を有するビルセキュリティ盤７を備えたセキュリティビルが建てられている機械駐車場ビルセキュリティ連動装置において、操作盤１には、セキュリティビルにおけるビル利用者判定部８のために使用されているＩＣ認証媒体を読み取るＩＣリーダー６と、少なくとも暗証番号を入力可能なタッチパネル式の液晶画面２を設け、ビルセキュリティ盤７には、駐車場利用者によってセキュリティビルで使用されているＩＣ認証媒体がＩＣリーダー６にかざされたときにセキュリティビル側のビル利用者であることを判定するビル利用者判定部８と、ビル利用者判定部８でビル利用者と判定されたときビル利用者操作許可信号を駐車場制御盤１１に送信するビル利用者操作許可送信部９を設け、駐車場制御盤１１には、ビル利用者操作許可送信部９からのビル利用者操作許可信号を受信したとき操作盤１のタッチパネル式の液晶画面２を暗証番号入力画面とし、かつ、駐車場利用者が入力した暗証番号が予め登録された登録番号かどうか判定する暗証番号判定部１７と、暗証番号判定部１７によって登録番号との一致が判定されたとき機械式駐車装置の運転を開始させる駐車場主制御部１３を設けたことを特徴とする。
【００３０】
このような構成によれば、セキュリティビルに隣接して機械式駐車装置が構成されている場合、機械式駐車装置の利用は駐車場乗込み口付近に設けた操作盤１にセキュリティビル側で使用しているＩＣ認証媒体をかざしたときに始まるため、機械式駐車装置の利用者をタイミング良く正確に判別することができ、利用者の利便性を一層向上させることができる。また、ビルセキュリティシステムで使用されるＩＣ認証媒体を機械式駐車装置の利用時にも使用するため、ビル利用者は、ビルセキュリティシステムで使用されるＩＣ認証媒体を持ち歩くだけで、ビルセキュリティシステムを通過すると共に、機械式駐車装置を利用することができるようになる。
【００３１】
さらに、操作盤１としてタッチパネル式の液晶画面２を暗証番号入力画面とし、かつ、駐車場利用者が入力した暗証番号が予め登録された登録番号かどうか判定する暗証番号判定部１７を設けているため、ビル利用者の中なら駐車場利用者を新たな構成部品を追加することなく簡単に、かつ、確実に判別することができる。また、ビルセキュリティ盤７と駐車場制御盤１１の間で大きなデータの授受を行う必要がないため、全体の構成を簡略化することができると共に、関連処理を容易にすることができる。
【符号の説明】
【００３２】
１    操作盤
２    液晶画面
６    ＩＣリーダー
７    ビルセキュリティ盤
８    ビル利用者判定部
９    ビル利用者操作許可送信部
１１  駐車場制御盤
１３  駐車場主制御部
１７  暗証番号判定部
【図１】
2020070693.tif 000003
【図２】
2020070693.tif 000004